(57)【特許請求の範囲】
【請求項１】
用紙装填部に装填された用紙の少なくもと縦横何れか一方の寸法を検出する検出手段と、
前記用紙装填部に装填された用紙のサイズ情報を得るための用紙の系列及び用紙の紙質を含む用紙情報を設定するために操作される操作部と、
前記用紙装填部が閉止されたときに、前記検出手段による前記用紙の寸法の検出動作を実行し、前記検出手段による検出結果である用紙の寸法と、前記操作部の操作により設定された前記用紙情報とに基づいて、前記用紙のサイズ情報を演算する演算手段と、
前記演算手段で前記用紙のサイズ情報を演算した後に、当該用紙のサイズ情報及び前記操作部の操作により設定された前記用紙情報を報知するサイズ情報報知手段と、
前記検出手段による検出動作検出手が開始された時点で、前記サイズ情報報知手段による前記サイズ情報の報知に先立って、前記操作部の操作により設定された前記用紙情報を先行報知する先行報知手段と、
を有する用紙情報判別装置。
【請求項２】
前記先行報知手段が、前記用紙装填部が開放され、かつ前記操作部が操作された後に前記用紙装填部が閉止されたときに前記先行報知を実行する請求項１記載の用紙情報判別装置。
【請求項３】
前記操作部が、複数の前記用紙装填部の各々に対して、装填される用紙を目視しながら操作可能な位置に設けられている請求項１又は請求項２記載の用紙情報判別装置。
【請求項４】
前記用紙の系列が、予め定められた縦横比、並びに縦横寸法値で分類される情報である請求項１〜請求項３の何れか１項記載の用紙情報判別装置。
【請求項５】
前記用紙が、筒状の芯材に層状に巻き取られた巻取型用紙であり、前記検出手段が、前記芯材の軸線に沿った巻取型用紙の幅寸法を検出する請求項１〜請求項４の何れか１項記載の用紙情報判別装置。
【請求項６】
前記サイズ情報報知手段が前記サイズ情報及び前記用紙情報の報知に用いる媒体と、前記先行報知手段が前記用紙情報の先行報知に用いる媒体とが同一媒体であり、前記サイズ情報報知手段及び前記先行報知手段が前記媒体を用いた報知形態を異ならせている請求項１〜請求項５の何れか１項記載の用紙情報判別装置。
【請求項７】
用紙装填部に装填された用紙の有無を検出する用紙有無検出手段と、
前記用紙装填部に装填された用紙のサイズ情報を設定するために操作される操作部と、
前記用紙装填部が閉止されたときに、前記用紙装填部の用紙の有無を決定するために、前記用紙有無検出手段による用紙の有無検出動作を実行する実行手段と、
前記用紙の有無検出動作が開始された時点で、当該用紙の有無検出動作に基づく用紙の有無の決定に先立って、前記操作部の操作により設定された前記サイズ情報を先行報知する先行報知手段と、
を有する用紙情報判別装置。
【請求項８】
前記請求項１〜請求項７の何れか１項記載の用紙情報判別装置と、
前記用紙装填部から引き出された用紙に対して、画像情報に基づいて画像を形成する画像形成手段と、
を有する画像形成装置。
【請求項９】
前記請求項１〜請求項７の何れか１項記載の用紙情報判別装置と、
原稿画像から画像情報を取得するために前記原稿画像を読み取る画像読取手段と、
前記用紙装填部から引き出された用紙に対して、前記画像読取手段で読み取った画像情報、或いは外部から受け付けた画像情報に基づいて画像を形成する画像形成手段と、
を有する画像処理装置。
【請求項１０】
コンピュータを、
用紙が装填される用紙装填部が閉止されたときに、前記用紙装填部に装填された用紙の少なくもと縦横何れか一方の寸法を検出する検出手段により前記用紙の寸法の検出動作を実行し、前記検出手段による検出結果である用紙の寸法と、前記用紙装填部に装填された用紙のサイズ情報を得るための用紙の系列及び用紙の紙質を含む用紙情報を設定するために操作される操作部の操作により設定された前記用紙情報とに基づいて、前記用紙装填部に装填された用紙のサイズ情報を演算する演算手段と、
前記演算手段で前記用紙のサイズ情報を演算した後に、当該用紙のサイズ情報と、前記操作部の操作により設定された前記用紙情報とを報知するサイズ情報報知手段と、
前記用紙の寸法の検出動作が開始された時点で、前記サイズ情報報知手段による前記サイズ情報の報知に先立って、前記操作部の操作により設定された前記用紙情報を先行報知する先行報知手段と、
して機能させることを含む用紙情報判別プログラム。
【請求項１１】
コンピュータを、
用紙が装填される用紙装填部が閉止されたときに、前記用紙装填部の用紙の有無を決定するために、前記用紙装填部に装填された用紙の有無を検出する用紙有無検出手段による用紙の有無検出動作を実行する実行手段と、
前記用紙の有無検出動作が開始された時点で、当該用紙の有無検出動作に基づく用紙の有無の決定に先立って、前記用紙装填部に装填された用紙のサイズ情報を設定するために操作される操作部の操作により設定された前記用紙のサイズ情報を先行報知する先行報知手段と、
して機能させることを含む用紙情報判別プログラム。
【発明の詳細な説明】
【技術分野】
【０００１】
本発明は、用紙情報判別装置、画像形成装置、画像処理装置、用紙情報判別プログラムに関する。
【背景技術】
【０００２】
特許文献１には、用紙を装填部に装填すると初期動作が実行されサイズを判別する。このとき、予め設定してあるサイズ系列を表示して、その確認をユーザーに促すことが記載されている。サイズ系列とは、ＪＩＳ規格のＡ版やＢ版、一般にレターサイズ等と称される８．５インチ版や９インチ版等であり、装填された用紙の寸法（例えば、ロール紙であれば幅寸法）を検出することで判明する縦横比から識別されるものである。
【先行技術文献】
【特許文献】
【０００３】
【特許文献１】特開２００６−１８４７６０号公報
【発明の概要】
【発明が解決しようとする課題】
【０００４】
本発明は、設定されている用紙に関する情報を、サイズ検知動作終了を待たずに、先行報知することができる用紙情報判別装置、画像形成装置、画像処理装置、用紙情報判別プログラムを得ることが目的である。
【課題を解決するための手段】
【０００５】
請求項１に記載の発明は、用紙装填部に装填された用紙の少なくもと縦横何れか一方の寸法を検出する検出手段と、前記用紙装填部に装填された用紙のサイズ情報を得るための用紙の系列及び用紙の紙質を含む用紙情報を設定するために操作される操作部と、前記用紙装填部が閉止されたときに、前記検出手段による前記用紙の寸法の検出動作を実行し、前記検出手段による検出結果である用紙の寸法と、前記操作部の操作により設定された前記用紙情報とに基づいて、前記用紙のサイズ情報を演算する演算手段と、前記演算手段で前記用紙のサイズ情報を演算した後に、当該用紙のサイズ情報及び前記操作部の操作により設定された前記用紙情報を報知するサイズ情報報知手段と、前記検出手段による検出動作検出手が開始された時点で、前記サイズ情報報知手段による前記サイズ情報の報知に先立って、前記操作部の操作により設定された前記用紙情報を先行報知する先行報知手段と、を有している。
【０００６】
請求項２に記載の発明は、前記請求項１に記載の発明において、前記先行報知手段が、前記用紙装填部が開放され、かつ前記操作部が操作された後に前記用紙装填部が閉止されたときに前記先行報知を実行する。
【０００７】
請求項３に記載の発明は、前記請求項１又は請求項２に記載の発明において、前記操作部が、複数の前記用紙装填部の各々に対して、装填される用紙を目視しながら操作可能な位置に設けられている。
【０００８】
請求項４に記載の発明は、前記請求項１〜請求項３の何れか１項記載の発明において、前記用紙の系列が、予め定められた縦横比、並びに縦横寸法値で分類される情報である。
【０００９】
請求項５に記載の発明は、前記請求項１〜請求項４の何れか１項記載の発明において、前記用紙が、筒状の芯材に層状に巻き取られた巻取型用紙であり、前記検出手段が、前記芯材の軸線に沿った巻取型用紙の幅寸法を検出する。
【００１０】
請求項６に記載の発明は、前記請求項１〜請求項５の何れか１項記載の発明において、前記サイズ情報報知手段が前記サイズ情報及び前記用紙情報の報知に用いる媒体と、前記先行報知手段が前記用紙情報の先行報知に用いる媒体とが同一媒体であり、前記サイズ情報報知手段及び前記先行報知手段が前記媒体を用いた報知形態を異ならせている。
【００１１】
請求項７に記載の発明は、用紙装填部に装填された用紙の有無を検出する用紙有無検出手段と、前記用紙装填部に装填された用紙のサイズ情報を設定するために操作される操作部と、前記用紙装填部が閉止されたときに、前記用紙装填部の用紙の有無を決定するために、前記用紙有無検出手段による用紙の有無検出動作を実行する実行手段と、前記用紙の有無検出動作が開始された時点で、当該用紙の有無検出動作に基づく用紙の有無の決定に先立って、前記操作部の操作により設定された前記サイズ情報を先行報知する先行報知手段と、を有している。
【００１２】
請求項８に記載の発明は、前記請求項１〜請求項７の何れか１項記載の用紙情報判別装置と、前記用紙装填部から引き出された用紙に対して、画像情報に基づいて画像を形成する画像形成手段と、を有する画像形成装置である。
【００１３】
請求項９に記載の発明は、前記請求項１〜請求項７の何れか１項記載の用紙情報判別装置と、原稿画像から画像情報を取得するために前記原稿画像を読み取る画像読取手段と、前記用紙装填部から引き出された用紙に対して、前記画像読取手段で読み取った画像情報、或いは外部から受け付けた画像情報に基づいて画像を形成する画像形成手段と、を有する画像処理装置である。
【００１４】
請求項１０に記載の発明は、コンピュータを、用紙が装填される用紙装填部が閉止されたときに、前記用紙装填部に装填された用紙の少なくもと縦横何れか一方の寸法を検出する検出手段により前記用紙の寸法の検出動作を実行し、前記検出手段による検出結果である用紙の寸法と、前記用紙装填部に装填された用紙のサイズ情報を得るための用紙の系列及び用紙の紙質を含む用紙情報を設定するために操作される操作部の操作により設定された前記用紙情報とに基づいて、前記用紙装填部に装填された用紙のサイズ情報を演算する演算手段と、前記演算手段で前記用紙のサイズ情報を演算した後に、当該用紙のサイズ情報と、前記操作部の操作により設定された前記用紙情報とを報知するサイズ情報報知手段と、前記用紙の寸法の検出動作が開始された時点で、前記サイズ情報報知手段による前記サイズ情報の報知に先立って、前記操作部の操作により設定された前記用紙情報を先行報知する先行報知手段と、して機能させることを含む用紙情報判別プログラムである。
【００１５】
請求項１１に記載の発明は、コンピュータを、用紙が装填される用紙装填部が閉止されたときに、前記用紙装填部の用紙の有無を決定するために、前記用紙装填部に装填された用紙の有無を検出する用紙有無検出手段による用紙の有無検出動作を実行する実行手段と、前記用紙の有無検出動作が開始された時点で、当該用紙の有無検出動作に基づく用紙の有無の決定に先立って、前記用紙装填部に装填された用紙のサイズ情報を設定するために操作される操作部の操作により設定された前記用紙のサイズ情報を先行報知する先行報知手段と、して機能させることを含む用紙情報判別プログラムである。
【発明の効果】
【００１６】
請求項１、請求項８，請求項９、及び請求項１０記載の発明によれば、設定されている用紙に関する情報を、サイズ検知動作終了を待たずに、先行報知することができる。また、請求項７及び請求項１１記載の発明によれば、設定されている用紙のサイズ情報を、用紙の有無検出動作による用紙の有無の決定に待たずに報知することができる。
【００１７】
請求項２に記載の発明によれば、先行報知を必要最小限にすることができる。
【００１８】
請求項３に記載の発明によれば、本構成を有しない場合に比べて、適切に用紙情報を設定することができる。
【００１９】
請求項４に記載の発明によれば、用紙サイズを演算するための情報を手動設定することができる。
【００２０】
請求項５に記載の発明によれば、切断するまで用紙サイズを判別できない巻取型用紙から、用紙サイズ判別のための最低限の情報を得ることができる。
【００２１】
請求項６に記載の発明によれば、通常報知なのか先行報知なのかを見分けることができる。
【図面の簡単な説明】
【００２２】
【図１】本実施の形態に係る画像処理装置の全体構成図である。
【図２】本実施の形態に係る画像形成装置の全体構成図である。
【図３】本実施の形態に係るメインコントロール部を中心とする制御ブロック図である。
【図４】本実施の形態に係る用紙装填部が開放された状態を示す斜視図である。
【図５】用紙装填部に設けられた操作部の正面図である。
【図６】画像形成装置の用紙装填部に対応して設けられたトレイ操作パネルの正面図である。
【図７】用紙装填部の開閉状態に基づく、トレイ操作パネル上での表示制御ルーチンを示すフローチャートである。
【発明を実施するための形態】
【００２３】
図１には、本実施の形態に係る画像処理装置１０が示されている。
【００２４】
画像処理装置１０は、原稿準備装置１２と、画像形成装置１４と、フォルダー部１６とを備えている。
【００２５】
なお、本実施の形態の画像処理装置１０では、比較的大型サイズの記録用紙を取り扱うものである。ここで、大型サイズとは、一般オフィスに設置されている画像形成装置（プリンタ）が、通常はＪＩＳ規格でＡ３サイズが最大処理可能サイズであるのに対して、本実施の形態の画像処理装置１０は、Ａ３サイズより大きいサイズ、すなわちＡ２、Ｂ３サイズ以上の用紙（例えば、Ａ０、Ａ１サイズ等）を処理可能となっている。しかしながら、サイズは限定されるものではない。
【００２６】
（原稿準備装置１２）
原稿準備装置１２は、画像読取装置１８へ送り込む原稿をセットする原稿テーブル２０、原稿の位置合わせのための原稿ガイド２２、画像読取装置１８から送り出された原稿を受け取る原稿排出口２４、原稿を装置前面へ案内するＵターン排出ガイド２６、原稿の読み取りの開始、終了を指示する操作部を備えた原稿操作パネル２８、画像処理に関する詳細情報を入力及び報知するタッチパネル型の操作パネル３２、電源を投入又は遮断するための電源スイッチ３４、メインコントロール部２００（図３参照）を収容するキャビネット３６、メインコントロール部２００に接続されユーザーが操作するデバイス（ＣＤ、ＤＶＤドライブ等）が集約された操作制御部３８を備えている。メインコントロール部２００では、画像処理装置１０全体を一括制御する。
【００２７】
この原稿準備装置１２において、原稿を装填すると、画像読取装置１８へ例えば定速度で搬送され、この搬送（副走査）とラインセンサ（図示省略）による主走査とにより、当該原稿に記憶された画像が読み取られ、読み取られた画像データに基づいて、画像形成装置１４が作動して、後述する用紙装填部５０、５２、５４に装填される用紙へ画像を形成する。なお、原稿準備装置１２と画像形成装置１４との間には、画像形成された用紙を収容するフォルダー部１６が取り付けられている。
【００２８】
（画像形成装置１４）
図２に示される如く、画像形成装置１４は、その最上面に画像形成後の用紙を排出する排出口４０が設けられ、排出口４０に連続して画像形成後の用紙を受け取るトレイ４２が形成されている。
【００２９】
画像形成装置１４の図２の正面（図１では右側面）には、前扉４４が設けられ、内部の紙詰まりや現像剤（トナー等）を交換するときに開閉されるようになっている。
【００３０】
また、前扉４４の下部には、操作パネル４６が設けられている。操作パネル４６は、エラー発生時のメッセージ表示、オフライン／オンラインの切り替え操作等を行うようになっている。
【００３１】
画像形成装置１４の図２の右側面（図１では背面）は、最上段に手差しトレイ４８が設けられ、その下に複数の用紙装填部５０、５２、５４が段状に設けられている。上段の用紙装填部５０、中段の用紙装填部５２は、ロール紙５６（筒状の芯材５８に層状に巻き取られた巻取型用紙、図４参照）を装填し、下段の用紙装填部５４はカット紙（予め指定された縦横サイズに切断された断片紙）を装填する役目を有する。
【００３２】
上段の用紙装填部５０、中段の用紙装填部５２のそれぞれの図２の右側には、それぞれトレイ操作パネル６０、６２が設けられてる。
【００３３】
トレイ操作パネル６０、６２は、ロール紙５６に装填されている用紙の種類や残量を表示する。用紙の種類とは、サイズ系列と紙質を含む。サイズ系列とは、用紙の規格の種類であり、例えば、ＪＩＳ規格の「Ａ版」、「Ｂ版」や、通常はレターサイズ等と称される「８．５インチ版」、「９インチ版」を区別するものである。紙質は、「トレーシングペーパ（トレペ）」、「普通紙」、「フィルム」に分類される。
【００３４】
トレイ操作パネル６０、６２の下方には、下部扉６４が設けられ、本装置の主電源スイッチ６６が設けられている。なお、用紙の残量は４段階のバーの数で表現されるようになっている。
【００３５】
（メインコントロール部２００）
図３は、メインコントロール部２００のハード構成を示すブロック図である。
【００３６】
図３に示される如く、メインコントロール部２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介して原稿操作パネル２８、操作パネル３２が接続されている。また、Ｉ／Ｏ２１０には、操作制御部３８、ハードディスク（ＨＤＤ）２１８が接続されている。ＣＰＵ２０４は、ＲＯＭ２０８やハードディスク２１８等に記録されているプログラムに基づいて動作し、メインコントロール部２００の機能を実現する。なお、該プログラムを格納した記録媒体（ＣＤ−ＲＯＭ、ＤＶＤ−ＲＯＭ等）を操作制御部３８から該プログラムをインストールし、これに基づいてＣＰＵ２０４が動作することにより画像処理機能を実現してもよい。
【００３７】
Ｉ／Ｏ２１０には、タイマ回路２２０、通信回線Ｉ／Ｆ２２２が接続されている。さらに、Ｉ／Ｏ２１０には、デバイス選択Ｉ／Ｆ２３４に接続されている。
【００３８】
デバイス選択Ｉ／Ｆ２３４は、画像読取装置１８、画像形成装置１２の各デバイスに接続されている。
【００３９】
（原稿装填部５０、５２）
図４には、ロール紙を装填する上段及び中段の用紙装填部５０、５２の内部構成が示されている。なお、上段及び中段の用紙装填部５０、５２は同一構成であるため、以下では、上段の用紙装填部５０の構成を説明し、中段の用紙装填部５２の構成の説明は省略する。
【００４０】
用紙装填部５０は箱型であり、装填状態では、前壁部が、装置の右側壁と段差が無い状態となるまで収容されるようになっている。用紙装填部５０の前壁部６８には、一対の把持部７０（図２参照）が形成されている。把持部７０は、前壁部６８から奥側に陥没した凹形状とされ、ユーザーはこの把持部７０に指を引っ掛け、手前に引き出すことで、用紙装填部５０は開放状態となる（図４の状態）。
【００４１】
用紙装填部５０の内部の両端部（前壁部６８の横方向両端部）には、ロール紙５６の芯材５８を支持する支持部材（図示省略）が設けられ、この支持部材にロール紙５６の芯材５８が支持されることで、ロール紙５６の装着が認識されるようになっている。なお、装着の有無は、装着ランプ７２の点灯による視覚を通じた報知、並びにアラームの発音による聴覚を通じた報知が行われるようになっている。
【００４２】
装填されたロール紙５６は、その最外周から引き出され、装置内部へ搬送されるようになっている。用紙装填部５０には、この引き出された用紙搬送軌跡上には、用紙の搬送方向と直交する幅方向寸法を検出するセンサ７４（図３参照）が設けられている。なお、センサ７４は、用紙装填部５０に限らず、装置側であってもよい。
【００４３】
ロール紙５６は切断の長さによって様々なサイズに設定可能であるため、メインコントロール部２００において、前記センサ７４で検出した幅寸法情報と、後述するサイズ系列（用紙情報）とに基づいて、サイズを演算するようになっている。
【００４４】
ここで、ロール紙５６には、複数のサイズ系列と、複数の紙質が存在するため、各用紙装填部５０、５２では、当該サイズ系列と紙質が予め指定されるようになっている。
【００４５】
サイズ系列と紙質の指定は、手動操作によって実行されるようになっており、用紙装填部５０の前記ロール紙５６が装着される領域の端部（図４ではユーザーの装着側から見て右端部）にその手動操作を行う操作部７６が設けられている。なお、前記ロール紙５６の装着を報知する装着ランプ７２は、この操作部７６の下部（平面視、装着側からみた場合）に設けられている。
【００４６】
図５は操作部７６の正面図であり、縦長の操作領域には、上下に並んで２個の操作ダイヤル７８、８０が設けられている。
【００４７】
２個の操作ダイヤル７８、８０は、それぞれ直径方向に突起部８２、８４が形成され、この突起部がユーザーを把持する把持部並びに指標部としての役目を有する。すなわち、突起部８２、８４を把持して操作ダイヤル７８、８０を回転することで、突起部８２、８４が回転し、その長手方向一端部が指標となって、複数種類の項目を選択的に指標するようになっている。
【００４８】
この操作ダイヤル７８、８０の回転操作は、その回転位置と、突起部８２、８４が指標する項目とが対応付けられるように接点が設けられ、電気的信号により、当該指標した項目を指定をメインコントロール部２００へ送出する。
【００４９】
上側の操作ダイヤル７８は、サイズ系列設定用として適用され、一方、下側の操作ダイヤル８０は、紙質用として適用される。
【００５０】
サイズ系列とは、用紙の規格の種類であり、例えば、ＪＩＳ規格の「Ａ版」や、通常はレターサイズ等と称される「８．５インチ版」、「９インチ版」、並びに特殊なサイズの「特殊」を区別するものである。紙質は、「トレーシングペーパ（トレペ）」、「普通紙」、「フィルム」に分類される。以下、このサイズ系列と紙質を含め、「用紙の種類」という場合がある。
【００５１】
上側の操作ダイヤル７８の周縁には、主題として「用紙サイズ系列」と表記されると共に、項目として、操作ダイヤル７８の周縁に沿って円弧状に、「９’系列」、「Ａ系列」、「８．５’系列」、「特殊」と表記されている。なお、この表記が限定されるものではない。
【００５２】
一方、下側の操作ダイヤル８０の周縁には、紙質用として適用され、主題として「用紙紙質」と表記されると共に、項目として、操作ダイヤル８０の周縁に沿って円弧状に、「トレペ」、「普通紙」、「フィルム」と表記されている。なお、この表記が限定されるものではない。
【００５３】
この操作部７６の操作ダイヤル７８、８０の操作状態は、前記トレイ操作パネル６０、６２に表示されるようになっている。
【００５４】
図６に示される如く、トレイ操作パネル６０、６２は、用紙装填部５０、５２に装填されているロール紙５６の種類や残量を表示する。用紙の種類とは、前述のサイズ系列と紙質を含む。
【００５５】
図６に示される如く、サイズ系列は、３桁の７セグメント表示部８６に表示されるようになっている。７セグメント表示部８６の右端には、単位選択表示部８８が設けられ、インチを示す項目「”」又はミリメートルを示す項目「ｍｍ」の何れかが選択されて表示されるようになっている。
【００５６】
単位選択表示部８８のさらに右端には、紙質表示部９０が設けられ、項目「トレペ」、項目「普通紙」、項目「フィルム」の何れかが選択されて表示されるようになっている。
【００５７】
トレイ操作パネル６０、６２の最右端は、ロール紙５６の残量が表示される残量表示部９２が設けられている。なお、用紙の残量は４段階のバーの数で表現されるようになっている。
【００５８】
ここで、本実施の形態では、用紙装填部５０（又は５２）を引き出し（開放し）、ロール紙５６を装填して閉止すると、自動的にセンサ７４による幅寸法検出制御（初期動作）が開始されるようになっている。
【００５９】
センサ７４により幅寸法が検出されると、前記操作ダイヤル７８、８０で設定した用紙種類（特に、サイズ系列）の情報を参照して、縦横比の換算（演算）によって、ロール紙５６のサイズを判別するようになっている。
【００６０】
判別された用紙サイズは、前記各用紙装填部５０、５２に隣接して設けられたトレイ操作パネル６０、６２に表示される。言い換えれば、センサ７４による幅寸法検出開始から用紙サイズが判別するまではトレイ操作パネル６０、６２には、何ら表示されず、当該サイズ判別時間（数秒から数１０秒程度）経過した後に表示されることになる。
【００６１】
ところで、用紙装填部５０（又は５２）にロール紙５６を装填するとき、ユーザーは、手動で操作ダイヤル７８、８０を操作して、サイズ系列及び紙質を設定するが、用紙装填部５０（又は５２）を閉止してしまうと、この操作状態が見えなくなる。一方、センサ７４による初期動作（サイズ判別）は開始されているため、操作状態を確認するためには、前記サイズ判別時間が経過した後となる。
【００６２】
そこで、本実施の形態では、用紙装填部５０（又は５２）が開放状態から閉止されたとき、トレイ操作パネル６０（又は６２）の７セグメント表示部８６に、現在設定されているサイズ系列を点滅表示するようにした。点滅表示は、前記センサ７４によるサイズ判別後に表示されるサイズ系列の表示（通常報知）とは異なることをユーザーに認識させるためである。
【００６３】
すなわち、センサ７４によってロール紙５６のサイズが判別されたときに表示される報知（通常報知）では、７セグメント表示部８６では、現在の操作ダイヤル７８で指標されたサイズ系列を常時点灯で表示する。一方、用紙装填部５６の閉止直後からサイズ判別終了までの間は、７セグメント表示部８６では、現在の操作ダイヤル７８で指標されたサイズ系列を点滅で表示する（先行報知）。
【００６４】
また、本実施の形態では、操作ダイヤル７８、８０の操作状態を監視する機能を持っており、用紙装填部５０（又は５２）が開放しているとき、操作部７６の操作ダイヤル７８、８０の操作がない場合は、前記点滅による先行報知を行わないようにしている。今までの指標が維持されているからである。
【００６５】
以下に本実施の形態の作用を説明する。
【００６６】
原稿準備装置１２の原稿テーブル２０に原稿を置き、画像読取装置１８へ送り込む。このとき、原稿ガイド２６によって原稿が位置合わせされながら、画像読取装置１８へ送り込まれる。画像読取装置１８では、定速度で搬送されながら（副走査）、ラインセンサで原稿に記憶された画像が読み取られる。
【００６７】
読み取られた画像データは、画像形成装置１４へ送出され、用紙装填部５０、５２、５４に装填された用紙、或いは手差しトレイ４８から挿入された用紙が送り出されて、当該用紙に画像を形成する。
【００６８】
ここで、本実施の形態では、用紙装填部５０（又は５２）におけるロール紙５６のサイズを予め認識し、トレイ操作パネル６０（又は６２）に表示している。サイズ系列は７セグメント表示部８６に「Ａ０」、「８．５」、「９」等と表示され、単位選択表示部８８に「”」又は「ｍｍ」の何れかが選択されて表示される。
【００６９】
ロール紙５６のサイズの認識は、用紙装填部５０（又は５２）が開放状態から閉止されたとき、自動的に実行される（初期動作の実行）。この初期動作は、ロール紙５６を最上層から引き出し、搬送方向の軌跡上に設けられたセンサ７４によってロール紙５６の幅寸法を検出する。
【００７０】
この検出した幅寸法と、操作部７６（操作ダイヤル７８、８０）の手動操作で設定されているサイズ系列とから、縦横比の換算により、サイズを演算する。
【００７１】
また、紙質表示部９０には、「トレペ」、「普通紙」、「フィルム」の何れかが選択されて表示される。さらに、トレイ操作パネル６０、６２には、ロール紙５６の残量が表示される。
【００７２】
ところで、トレイ操作パネル６０、６２に表示されるサイズ系列、紙質は、ユーザーが、用紙装填部５０、５２が開放しているときに、操作部７６の操作ダイヤル７８、８０を操作して決定する。このため、用紙装填部５０、５２が閉止され、前記初期動作が開始されると、操作ダイヤル７８、８０が指標している項目、すなわち、現在設定されている用紙情報がわからない状態が生じる。
【００７３】
仮に、設定が誤っている場合、初期動作で演算される用紙サイズに誤りが生じる場合がある。
【００７４】
そこで、本実施の形態では、初期動作中に、操作部７６の操作ダイヤル７８、８０で指標されているサイズ系列項目を、トレイ操作パネル６０、６２に表示するようにした。すなわち、「サイズ表示」という通常報知に対して、先行報知という形で「サイズ系列」を表示する。
【００７５】
図７は、メインコントロール部２００における、用紙装填部５０（又は５２）の開閉動作にも伴う、サイズ又はサイズ系列表示制御を実行するためのフローチャートである。
【００７６】
ステップ３００では、用紙装填部５０（５２）が開放中か否かが判断され、肯定判定、すなわち、用紙装填部５０（５２）が開放中の場合は、ステップ３０２へ移行する。
【００７７】
ステップ３０２では、トレイ操作パネル６０（６２）を非表示状態とし、次いでステップ３０４へ移行して操作部７６の操作ダイヤル７８、８０が操作されたか否かが判断される。このステップ３０４で否定判定された場合は、このルーチンは終了する。また、ステップ３０４で肯定判定されると、ステップ３０６へ移行して、操作ダイヤル７８、８０の突起部８２、８４が指標している項目を認識し、次いでステップ３０８へ移行して、指標された情報を更新登録し、このルーチンは終了する。
【００７８】
前記ステップ３００で否定判定、すなわち、用紙装填部５０（５２）が閉止されている場合は、ステップ３１０へ移行する。
【００７９】
ステップ３１０では、用紙装填部５０（５２）が開放状態か閉止状態になったばかりか否かが判断され、否定判定された場合は、閉止状態が継続されていると判断し、このルーチンは終了する。
【００８０】
また、ステップ３１０で肯定判定されると、用紙装填部５０（５２）がたった今、閉止された（１回前のルーチンが開放であった）と判断し、ステップ３１２へ移行する。
【００８１】
ステップ３１２では、初期動作の開始を指示する。この初期動作の開始指示により、装填されているロール紙５６の最外周が引き出され、センサ７４によって幅寸法が検出される。なお、この初期動作は、数秒から数１０秒かかる場合がある。
【００８２】
次のステップ３１４では、今回の閉止前の開放中に操作部７６（操作ダイヤル７８、８０）の操作があったか否かが判断される。このステップ３１４で肯定判定されると、ステップ３１６へ移行して、操作ダイヤル７８、８０の突起部８２、８４で指標されているサイズ系列及び紙質の項目を読み出す。
【００８３】
次のステップ３１８では、トレイ操作パネル６０（６２）の７セグメント表示部８６に、サイズ系列を点滅表示して（先行報知）、ステップ３２０へ移行する。
【００８４】
また、前記ステップ３１４で否定判定された場合は、ステップ３２０へ移行する。すなわち、用紙装填部５０（５２）の開放中に操作部７６（操作ダイヤル７８、８０）の操作がないということは、指標されている項目に変化がないため、あえて、点滅表示する必要ないからである。なお、操作部７６の操作如何に関わらず、常に点滅表示するようにしてもよい。
【００８５】
ステップ３２０では、初期動作の中止指示があったか否かが判断され、肯定判定されると、ステップ３２２へ移行して、初期動作強制終了指示を行い、このルーチンは終了する。この強制終了時は、エラー報知等を行うことが好ましい。
【００８６】
また、ステップ３２０で否定判定された場合は、ステップ３２４へ移行して、サイズ自動判別処理が終了したか否かが判断される。このステップ３２４で否定判定された場合は、ステップ３２０へ戻り、上記工程を繰り返す。
【００８７】
ステップ３２４で肯定判定されると、ステップ３２６へ移行して、自動判別処理によってロール紙５６が装着されていたか否かが判断され、されていないと判定（否定判定）されると、ステップ３２８へ移行して、該当するトレイ操作パネル６０（及び／又は６２）を非表示として、このルーチンは終了する。
【００８８】
また、ステップ３２６で肯定判定されると、ステップ３３０へ移行して該当するトレイ操作パネル６０（及び／又は６２）に用紙情報を表示し（通常報知）、このルーチンは終了する。
【００８９】
なお、先行報知は、点滅に限るものではなく、点灯の色を変える等、少なくとも通常報知と異なる形態であればよい。また、７セグメント表示部８６を用いて、先行報知したが、別途、先行報知用の表示部を追加してもよい。
【００９０】
また、本実施の形態では、図４に示される如く、操作部７６が用紙装填部５０（５２）が閉止されると、サイズ系列等の操作ができない構成としたが、例えば、図２に示す操作パネル３２から、サイズ系列等の設定を行うようにしてもよい。
【００９１】
この場合、ユーザーが事前設定の操作を行い、用紙サイズ系列等の設定画面を表示させて、設定することになる。
【００９２】
（変形例）
さらに、本実施の形態では、サイズ系列を手動で設定し、用紙装填部５０（５２）が閉止され、開始指示により、装填されているロール紙５６の最外周が引き出され、センサ７４によって幅寸法を検出する初期動作中に、サイズ系列を先行報知するようにしたが、初期動作を用紙を引き出す動作とし、また、事前に手動で設定する情報を用紙サイズとしてもよい。
【００９３】
すなわち、用紙の幅寸法を検出するセンサ７４に代えて、あるいは当該センサ７４を適用して（以下、「センサ７４等」という）、搬送される用紙の先端を前記センサ７４等で検出する構成とする。また、操作部７６或いは操作パネル３２等により、ユーザーが用紙サイズを事前に手動で入力（設定）しておく。
【００９４】
ここで、前記用紙装填部５０（５２）が閉止されたときに、前記センサ７４等による用紙の有無検出動作の実行を指示し、事前に手動で設定された前記用紙のサイズ情報に基づいて、前記用紙のサイズ情報を決定する。
【００９５】
前記用紙のサイズ情報を決定した後、前記用紙の検出動作（変形例における初期動作）が開始された時点で、前記サイズ情報を、前記用紙の有無検出動作による用紙の有無の決定に先立って先行報知する。
【符号の説明】
【００９６】
１０    画像処理装置
１２    原稿準備装置
１４    画像形成装置
１６    フォルダー部
１８    画像読取装置
２０    原稿テーブル
２２    原稿ガイド
２４    原稿排出口
２６    Ｕターン排出ガイド
２８    原稿操作パネル
３２    操作パネル
３４    電源スイッチ
３６    キャビネット
３８    操作制御部
４０    排出口
４２    トレイ
４４    前扉
４６    操作パネル
４８    手差しトレイ
５０、５２、５４    用紙装填部
５６    ロール紙
６０、６２    トレイ操作パネル
６４    下部扉
６６    主電源スイッチ
６８    前壁部
７０    把持部
７２    装着ランプ
７４    センサ
７６    操作部
７８、８０    操作ダイヤル
８２、８４    突起部
８６    ７セグメント表示部
８８    単位選択表示部
９０    紙質表示部
２００    メインコントロール部
２０４    ＣＰＵ
２０６    ＲＡＭ
２０８    ＲＯＭ
２１０    Ｉ／Ｏ
２１２    バス
２１４    ＵＩ制御回路
２１８    ハードディスク
２２０    タイマ回路
２２２    通信回線Ｉ／Ｆ
２３４    デバイス選択Ｉ／Ｆ
【図１】
0005691276.tif 000002
【図２】
0005691276.tif 000003
【図３】
0005691276.tif 000004
【図４】
0005691276.tif 000005
【図５】
0005691276.tif 000006
【図６】
0005691276.tif 000007
【図７】
0005691276.tif 000008